(57)【要約】      （修正有）【課題】ロールペーパーを引出し切断して使用する際にペーパーの端部が掴み易く、またペーパーが切り易く、切り口が乱れないロールペーパー保持器を提供する。【解決手段】ロールペーパー１を収容する収容器２０と、収容器２０の一要素である前面板２にロールペーパー１の外周を当接させる当接手段と、ペーパー１の掴み代を確保する繰出手段と、繰出手段の下部に配設された切断手段とでなる。当接手段とは、適度な引出し抵抗を与え切断を容易にすることであり、ペーパー１を繰出手段の内面に沿わせ、掴み代の繰出しを容易にする機能を持つものである。使用の際、片手であっても、繰出手段によってペーパー１を露出させ掴み代を確保し、この部分を掴み、必要な長さを引出した後、引く方向を変えて容易に切断することができる。【選択図】図１
2013188274.tif 000002
【特許請求の範囲】
【請求項１】
ロールペーパーを滑らかに引出すことが可能であるように保持し、前面板と左右の側面板で成る収容器を備え、
上記収容器に内包されるロールペーパーを支持し、該ロールペーパーの外周面を上記前面板に押し当てるための当接手段を備え、
上記前面板の下方に配設され、内面側への手指の挿入を可能とする空間が設けられ、ペーパーの掴み代を確保するための繰出手段を備え、
上記繰出手段の下部に切断手段を備えたことを特徴とするロールペーパー保持具。
【請求項２】
前記当接手段は、支持ヨークユニットであることを特徴とする請求項１のロールペーパー保持具。
【請求項３】
前記当接手段は、案内レールであることを特徴とする請求項１のロールペーパー保持具。
【請求項４】
前記当接手段は、懸垂ユニットであることを特徴とする請求項１のロールペーパー保持具。
【請求項５】
前記繰出手段は、摩擦力の小さい内面側の表面を持ち、前記空間内のペーパーの端部を手指で押し付け擦りながら下方に引き出すための擦り板であることを特徴とする請求項１のロールペーパー保持具。
【請求項６】
前記繰出手段は、滑動板ユニットであることを特徴とする請求項１のロールペーパー保持具。
【請求項７】
前記繰出手段は、環ベルトユニットであることを特徴とする請求項１のロールペーパー保持具。
【請求項８】
前記繰出手段は、繰出ローラユニットであることを特徴とする請求項１のロールペーパー保持具。
【請求項９】
前記繰出手段は、長環ベルトユニットであることを特徴とする請求項１のロールペーパー保持具。
【請求項１０】
前記繰出手段は、繰出し板ユニットであることを特徴とする請求項１のロールペーパー保持具。
【発明の詳細な説明】
【技術分野】
【０００１】
本発明は、トイレットペーパー、キッチンペーパー等のロール状に巻かれたペーパー、ロールペーパーの収容・保持および引出し、切断に係わる装置に関する。
【背景技術】
【０００２】
従来、ロールペーパーは、ロールの中心部の穴を利用し、軸を用いて、水平に支持されている。この時、ロールペーパーが自然に回転すること等を防ぐ為に、一端を蝶番で支持した蓋をロールペーパー上部に載せ、その自重で摩擦を与え、自然には回転しないようにするものが一般的である。蓋の自重だけではなく、軽いばねで押圧しているものもある。ロールペーパーの穴を軸で支持するのではなく、箱型の容器に収容するタイプのものもあり、この場合、一般にはロールペーパー外周の摩擦抵抗が十分大きく自然には回らない。
また、切断手段として、蓋の自由端(先端)に鈍なカッターが設けられているものもあるが、切断時にカッターが動くので切り難い。
【０００３】
ペーパーを使用する際には、ロールペーパーの端部（ペーパー端）を掴み、引き出し、切断することが必要である。この時、ペーパー端は、蓋の内部（背部）に隠れていたり、ロール外周に密着していることが多く、他方の手で蓋を持ち上げたり、ロールを空転させてペーパー端を探り、掴むことが必要で、使用に困難を伴うことが多かった。
【０００４】
ペーパー端を掴んだ後、必要な長さのペーパーを引出し、切断して使用に供する際、切断しようとしてペーパーを引っ張ると蓋が自重やばねに抗して持ち上がり、必要以上に繰り出されてしまうことが多く、切断が困難であった。このため、切断の際に、蓋が持ち上がらないように、またはロールペーパーが回らないように他方の手で補助（固定）しながら、ペーパーを引き切る必要があった。
なお、カッターは危険であるとの考えから、切り口の美観、切り易さに拘らない場合には、カッターが無いこともあり引き千切って使用していた。
【０００５】
つまり、ペーパー端を片手で掴み引出すこと、必要な長さに切断することに不便があり、特に身体が不自由な場合には困難を伴っていた。
【０００６】
これらの不具合に対処する発明や考案の出願は、従来から多く見られる。例えば、切断を容易することに重点を置く発明(例：特開平８−１７３３４６)や、ペーパー端を掴み易くすることに重点を置く発明（特開２００５−２５３９２２)、この両者に重点を置く発明（例：特開２００３−３１０４７８）等がある。
これらの発明は、構造が複雑、ロールペーパーの補給セットが煩雑、露出しているカッターが危険な感じを与える、紙の引出し抵抗が大きいなどの難点があった。また、水で溶解して切断する方法（下記特許文献３）では不潔感を与え、蒸発に対する水の補給も煩わしいなどの難点があった。
さらに、使用するペーパー以外の収容器等を触る必要があり、不特定多数の人々が使用する事を想定すると不潔感があった。
【先行技術文献】
【特許文献】
【０００７】
【特許文献１】特開平８−１７３３４６
【特許文献２】特開２００５−２５３９２２
【特許文献３】特開２００３−３１０４７８
【発明の概要】
【発明が解決しようとする課題】
【０００８】
本発明は、片手であっても、ロールペーパーの端部を掴み、引出し切断することを安全に、衛生的に、容易に行うことができる構造簡単、安価な装置であり、さらに、ロールペーパーの補給セットが簡便な装置を提供することを課題としている。
【課題を解決するための手段】
【０００９】
ロールペーパーの滑らかな引出しが可能であるように保持し、前面板と左右の側面板で成る収容器（保持手段）を備え、
上記収容器に内包されるロールペーパーを支持し、その外周面（稜線）を上記前面板に軽く押し当てるための当接手段を備え、
上記前面板の下方に配設され、内面側に手指の挿入が可能である空間が確保されており、
ペーパーの掴み代を繰り出すための繰出手段を備え、
上記繰出手段の下部に切断手段を備えたことを特徴とするロールペーパー保持具をもって課題の解決手段としている。
【００１０】
前記収容器（保持手段）には、後面板（後面の板：壁等に取り付ける面板）や上部に開閉可能な蓋を設けてもよい。
【００１１】
前記当接手段の第１の方法は、ロールペーパーの中央の穴に挿入して支持するロール支持軸に対して、該支持軸を支える「支持ヨークユニット」（ヨーク状の二股支持具）を用いるものである。支持ヨークユニットは、その下端部のヨーク軸端が左右側面板の下方、後方寄り位置に回動可能に取り付けられている。従って、支持ヨークユニットは揺動可能となっている。ロールペーパーを支持する上記ロール支持軸は、支持ヨークユニットの上部にあるヨーク溝（支持軸を受ける溝）に載せ架設される。上記ヨーク溝はヨーク軸端より前面板寄りにあるので、ロールペーパーと支持軸の自重等によるモーメントは支持ヨークユニットを前面板方向へ傾倒させ、ロールペーパーを前面板に当接させている。
当接手段の目的は、切断に必要な適度な引出し抵抗を得ることと、前面板の下部位置に配設の繰出手段の内面に、ペーパーが近接して沿うように案内することの２点であり、過去の例は発見していない。
切断に必要な適度な引出し抵抗は、前面板の内面とペーパーとの摩擦李力で定まる。この摩擦力を変えるには、ヨーク軸端の取り付け位置を変更可能にすることや、前面板内面の粗さを変え摩擦係数を変更する、ロール支持軸の重量を変えるなどの方法が有効でてある。なお、この当接手段においては、ペーパーの消耗によるロール当接圧の変化は比較的少ない。
【００１２】
前記当接手段の第２の方法は、左右の側面板の内面に固定され、前面板近くに向かって低くなるように傾斜した左右一対の「案内レール」によるものである。この案内レールにロールペーパーを支持するロール支持軸を載荷・架設する。上記ロール支持軸はレール上を転動しロールペーパーは前面板に当接する。
ペーパーの消耗が進みロールが小さく軽くなると、前面板に対するロール当接圧が減少する。所望の当接圧が得られるようにするには、ロール支持軸が前面板に近づくにつれて案内レールの傾斜を大きくする事が有効である。従って、案内レールの上面（レール面）は平面ではなく、前面板に近いほど傾きの大きな、上に凸の滑らかな曲面であるのが良い。
【００１３】
前記当接手段の第３の方法は、ロールペーパーを支持するロール支持軸をつり下げる「懸垂ユニット」によるものである。懸垂ユニットは、二股ヨークの下方でロールペーパーを保持し、上方にある懸垂軸端を左右の側面板上方の前面板寄りにある懸垂溝に、回動可能に架設するものである。ロールペーパーとロール支持軸の自重によるモーメントで、前面板に対するロール当接圧が得られる。
ペーパーの消耗によるロール当接圧の変化を抑制するには、懸垂軸端を支持する左右側面板に、複数の懸垂溝を用意しておき、これを切り替えるか、懸垂軸端の位置の連続的な調整をすると良い。
【００１４】
前記繰出手段は、前面板の下方に設けられており、この内面側（背面）に確保されている空間に手指を入れ、隠れているペーパー端を繰り出し、数センチメートル程度の掴み代を露出させ、確保する手段である。このような繰出手段の過去の例は発見していない。
【００１５】
繰出手段の第１の方法は、その内面側にあるペーパー端を手指で押し付け擦（こす）り下げてペーパーを引き出す「擦り板」によるものである。擦り板は、手指による押圧・擦り下げのみによってペーパーの引出しを可能とし、「ペーパーと手指間の摩擦力」と「擦り板とペーパー間の摩擦力」との差が、ペーパーの引出し抵抗より大きいことが必要となる。上記２種類の摩擦力を生じさせる押圧力は同じ値なので、これら摩擦力の差は、摩擦係数の差と読み替えても良い。したがって、擦り板による繰出手段を快適に使用するためには、「擦り板とペーパー間の摩擦係数」、換言すれば、擦り板の内面の摩擦係数は可能な限り小さいことが望ましい。
【００１６】
繰出手段の第２の方法は、「滑動板ユニット」によるものである。滑動板ユニットは、「ペーパーを手指で押付けて引き下げる」ことにおいては、前出の擦り板による方法と同じである。しかし、擦り板とは異なり、滑動板ユニットの内面には「滑り板」があり、滑り板自身が軽く滑動することができる。機能的には、上記の擦り板の内面の摩擦力を小さくしたものに相当している。滑り板に手指でペーパー端を押付け、引き下げることで、ペーパー端が露出する。手指を離すと滑り板は、ばね等の弾性によって元の位置に戻り、ペーパー端は露出したままであり、掴み代となる。
滑り板の内面には滑り止めの凹凸の突起を設け、摩擦ではなく凹凸に引っ掛かって手指が滑らない構造としてもよい。
なお、滑り板が下げられているとき、前面板の下端と滑り板との間にできる空洞を塞ぐために、滑り板の中央上部に「滑り板舌部」を設けてもよい。
滑り板舌部をさらに延伸し、ロールペーパーと前面板の間を突き出る程度に長くしてもよい。このようにすれば、ペーパーを引出す抵抗が減少するが、切断に必要な抵抗は減らさないようにする事ができる。
【００１７】
繰出手段の第３の方法は、環状（エンドレス）ベルトによる「環ベルトユニット」による方法である。この方法は、環ベルトを支持する環ベルト支持体の内面側空洞の上下２箇所に、２本の上下ローラを設け、これらのローラに環ベルトが掛けられている。環ベルトの外面はペーパー端と近接して対面するように構成されている。環ベルトの表面は摩擦が大きな素材とするか、凹凸の突起を設けて、手指を押付け引き下げるとき、滑らないで環ベルトが軽く回るように構成されている。ペーパー端を押付けて引き下げると、ペーパー端が下方へ繰り出され露出し掴み代となる。滑り板のように、ばね等による復帰動作が必要でないという特徴がある。
【００１８】
繰出手段の第４の方法は、「繰出ローラユニット」によるものである。これは、繰出ローラ支持体に回転自在に取り付けられた繰出ローラにペーパー端を押し付けて繰出すもので、１回の操作で繰出される量は少ないが（数回の操作が必要）、繰出しの摩擦抵抗は無視できるほど小さく快適に使用できる。
【００１９】
繰出手段の第５方法は、前記の環ベルトユニットと同様であるが、環ベルトの大きさ（長さ）が長い長環ベルトを用いて、前面板と繰出手段とを連続する一体状に構成して「長環ベルトユニット」としている。従って、ロールペーパーは長環ベルトの上方位置においてベルト表面に当接している。
長環ベルトを支持する２本のサイドローラ（上下）は、長環ベルト本体（前面板と繰出手段とを一体としたもの）の上方と下方の２箇所に、互いに平行に設けられており、長環ベルトが巻き掛けられている。
長環ベルトユニットには次の特長がある。前述の「長い滑り板舌部」の効果と同様に、繰出手段の位置にあるペーパー端を押付け引き出す際、ロールペーパーが当接している位置の長環ベルトも同時に動くので、ペーパーの引出し抵抗が小さく、容易に引き出ことができ掴み代の確保ができる。また、切断の際には長環ベルトは動かないので、摩擦による適度な引出し抵抗があり切断が容易である。
【００２０】
繰出手段の第６の方法は、前面板の下部位置に設けられ、上下方向に動くことができる「繰出し板ユニット」によるものである。繰出し板ユニットの繰出し板は、直線的に上下に動くものに限らず、図１８，１９のように、半径が大きな円弧状の動き（揺動）をするものでもよい。
繰出し板の内面側にペーバー端を押付け、又はペーパーと共に掴み引き下げてから手を離すと、繰出し板は復帰ばねによって元の位置に戻り、ペーパー端が露出し掴み代となる。
繰出し板を下げた時、前面板との間にできる空間を塞ぐように弾性板、布などを設けてもよい。
【００２１】
繰出手段の下端部に設けられる前記切断手段は、鋸歯状、突起状、鈍な針状のカッターなど、ペーパーに突き刺さりペーパーの滑りを止めるものであればよい。ペーパーは弱く破れ易いので、鋸歯状の刃が刺さると簡単に破れるので、鋭利な刃物である必要はない。
カッターの先端は、安全性を考えて、繰出手段の内面の延長面より後退させ、また、切り易さを考えて、カッターの向きは真下より内面側に傾倒させる。
【発明の効果】
【００２２】
本発明のロールペーパー保持具は、簡単な構造であって、繰出手段の内面に近接して沿っているペーパー端を露出させ、これを掴んで必要な長さを引き出し、引き切って使用するという一連の動作を、片手であっても簡単に行うことができ利便性を向上させる。さらに、当人が使用するペーパー以外には、どこにも触れずに利用する事ができ、不特定多数の人が利用する公共施設等を想定しても衛生的である。また、従来、ペーパーの切断面が乱雑で見苦しいとの懸念もあったが、本装置では綺麗に切断できる上、殆どのペーパーは繰出手段の内面に隠れており美観を損なうことが少ない。更に、ロールペーパーの補給セット、交換が簡単であるという効果がある。
【図面の簡単な説明】
【００２３】
【図１】(a)  第１実施例（支持ヨークユニット）の側断面図              (b)  カッター（鋸歯状）取り付け詳細図
【図２】(a)  第１実施例の正面図（一部、図1(a)の断面Ａ−Ａ）              (b)  第１実施例の復帰錘の側断面図
【図３】第１実施例の斜視図（一部、断面）
【図４】第１実施例のロール支持軸と支持ヨークユニットの斜視図
【図５】(a)  ペーパー端の擦り出し説明図（擦り出し直前）              (b)  ペーパー端、掴み代の図
【図６】(a)  ペーパー端（掴み代）引出し始めの図              (b)  ペーパー切断の図
【図７】第２実施例（滑動板ユニット）の正面図（一部、断面図）
【図８】第２実施例の側断面図（図７の断面Ｄ−Ｄ）
【図９】(a) 滑動板ユニットの滑り板              (b) 滑動板ユニットの滑り板支持体
【図１０】(a)  滑動板ユニットでの繰出しの図              (b)  滑動板ユニットでの繰出し後、掴み代の図
【図１１】第２実施例の曲面レール
【図１２】(a)  環ベルトユニットの断面図              (b)  繰出ローラユニットの断面図
【図１３】第3実施例（懸垂ユニット）の側断面図
【図１４】第３実施例の正面図（一部、図１３の矢視Ｅ−Ｅ)
【図１５】(a)  長環ベルトユニットの側断面図              (b)  長環ベルトユニットの右側面（内面）図（一部断面）
【図１６】(a)   長環ベルトユニット（中間ローラ）詳細図（図１５のＦ部）              (b)   長環ベルトユニット（摺動中板）の詳細図
【図１７】(a)  懸垂ユニットの斜視図              (b)  懸垂ヨーク右を弾性変形させた図
【図１８】(a)  第４実施例（繰出し板ユニット）の断面図              (b)  繰出し板の断面図
【図１９】繰出し板ユニットの斜視図
【発明を実施するための形態】
【００２４】
実施例について、前記３種類の当接手段と6種類の繰出手段についは、どのような組合せも可能である。第１実施例は、支持ヨークユニットと擦り板、第２実施例は案内レールと滑動板ユニット、さらに２種類の繰出手段（環ベルトユニットと繰出しローラユニット）、第３実施例は懸垂ユニットと長環ベルトユニット、第４実指例は支持ヨークユニットと繰出し板ユニットを採用し説明している。
【００２５】
第１実施例について、図１から図６を用いて説明する。
第１実施例の当接手段は、支持ヨークユニット１０であり、繰出手段は擦り板５である。
図１(a)は側断面図、図１(b)は切断手段（カッター）の取り付け詳細図、図２(a)は正面図（一部、断面）、図２(b)は復帰錘１３部分の側断面図、図３は斜視断面図、図４はロール支持軸９と支持ヨークユニット１０の斜視図、図５(a)はペーパー端１ｂの擦り出し説明図（擦り出し前）、図５(b)はペーパー端１ｂ（掴み代）の図、図６(a)はペーパー引出し始めの図、図６(b)はペーパー切断の図である。
【００２６】
図１から図６において、１はロールペーパー（ロール状の部分）、１ａはロールペーパーから引き出されたペーパー、１ｂはペーパー端（へーパーの先端数センチメートル程度以下と端の部分）。２は前面板、３ｍは右側面板、３ｈは左側面板、４は後面板、７は開閉自在の蓋（閉じた状態）、７ａは開いた状態の蓋、７ｂは蓋を開閉可能に支持する蓋軸、４ｂは壁などへの取り付けのための取り付け穴である。なお、２ａは前面板２の内面、５ａは擦り板５の内面である。
【００２７】
前面板２の下方には擦り板５が配設され、右側面板３ｍ、左側面板３ｈに固定されている。擦り板５の下端にカッター６（切断手段）が設けられている。前面板２と右側面板３ｍ、左側面板３ｈ、後面板４は互いに固定され、矩形に開口した筒状の形状の収容器２０となっている。
【００２８】
右側面板３ｍ、左側面板３ｈの下方、後面板４寄りの位置に、支持ヨークユニット１０のヨーク軸端１２ａ（左右２箇所）が、回動自在に取り付けられている。
図３、図４に示すように、支持ヨークユニット１０は、ヨーク右１１ｍ，ヨーク左１１ｈ、ヨーク軸１２及びヨーク軸端１２ａ（左右一対）が一体に構成され、ヨーク右１１ｍ、ヨーク左１１ｈの先端にはロール支持軸９（左右一対）を架設するためのヨーク溝１１ｇ（左右一対）が設けられている。
【００２９】
図２(b)に示すように、ヨーク軸１２には、錘支持腕１３ａの一端が固定されており、錘支持腕１３ａの他端には復帰錘１３が固定されている。ロールペーパー１とロール支持軸９がヨーク溝１１ｇに架設されていないとき、復帰錘１３等によるヨーク軸１２に関する力のモーメントにより、復帰錘１３は後面板４に固定されている受け板４ａに載っている。従って、ヨーク溝１１ｇは上向きに開口した状態となり、ロール支持軸９のセットを容易にしている。
復帰錘１３等に代えて、ねじりコイルばね等の弾性材によって、支持ヨークユニット１０を復帰状態にさせても良い。
【００３０】
図１(b)はカッター６（鋸歯状）の詳細図であり、６ａは正面から見たカッター６である。鋸歯状の歯の先端は擦り板５の内面５ａの延長面より僅かな量（図示のｄ）だけ後退し、歯先の向きは真下より、擦り板５の内面５ａ側に（図示の角θ）傾倒している。これは、手指に対する安全性の向上と、ペーパーの切断を容易にするためである。
【００３１】
以下に、第１実施例の機能について説明する。
図１は、ロールペーパー１の中央の穴にロール支持軸９を挿入貫通させ、これを支持ヨークユニット１０のヨーク溝１１ｇに架設した状態を示している。
支持軸９とロールペーパー１を架設すると、その重力による（図１では左回りの）モーメントによって、支持ヨークユニット１０は左へ傾倒し、ロールペーパー１の外周面が前面板２に当接する。ロールペーパー１を架設する際、ペーパー１ａを予め引き出しておき、ペーパー１ａが前面板２と擦り板５の内面側に近接して垂れ下がるようにしておく。
ロールペーパー１のロール当接圧１８は、ロールペーパー１、ロール支持軸９の重量および支持ヨークユニット１０の傾斜角に関係して定まる。ロールペーパーの消耗が進むとロール半径が小さくなると同時に軽くなる。軽くなることはロール当接圧１８を減少し、ロール半径が小さくなることは（鉛直に対する傾斜角が大きくなるので）ロール当接圧１８を増加させる傾向にある。これはらロール当接圧１８の増減を互いに補う関係にあり、ロール当接圧の変動を抑えている。しかし、ロール当接圧を調整するには、左右側面板３ｍ、３ｈのヨーク軸端１２ａを支持している位置を変える、ロール支持軸の重さを変えるなどの他、ねじりばね等で加勢する等がある。
ペーパーの引出し抵抗１７は、前面板２の内面２ａとペーパー１ａとの摩擦係数及びロールペーパー１が当接するロール当接圧１８で与えられ、引出し抵抗１７が大き過ぎると引出し難く、小さ過ぎると切断し難い。
【００３２】
ペーパーを使用した直後の、次に使用するペーパー端１ｂの先端は、通常はカッター６に一致しており、ペーパー１ｂは擦り板５の内面５ａ側に隠れている。従って、使用に当たっては、擦り板５の内面５ａに手指１５を差し込み、押圧（押圧力１５ａ）して擦り出し（擦り出す力１５ｂ）、必要な長さの掴み代を露出させる。擦り板５は、内面にあるペーパー端１ｂを手指１５で押付けたまま下方に擦ってペーパーを引き出す機能を担うため、押付けて擦って引き出すことが可能なように、低摩擦の内面が要求され、摩擦係数が小さい材料で造るか、低摩擦のシートを貼付する等が必要になることもある。擦り出しが可能であるためには、引出し抵抗１７は（擦り板５の内面とペーパー１ｂとの摩擦力）と（ペーパー１ｂと手指１５との摩擦力）との差より小さいことが必要である。
引出し抵抗１７は、擦り板５による擦り出しに対しては小さいほうが良く、切断にとっては、ある程度大きいほうがよい。これら相反する関係を満たすように、前面板２の内面の摩擦、擦り板５の内面の摩擦の値が決められる。
【００３３】
図５(a)は、擦り板５によってペーパー端１ｂを擦り出す様子を示し、図５(b)は露出したペーパー端１ｂ（掴み代）を示している。図６(a)は、露出しているペーパー端１ｂを掴んで下方へ引き出そうする様子、図６(b)は切断している様子を示している。
図６(b)のように、切断の際には、前方寄りにペーパーを引くと、ペーパーがカッター６の歯に突き刺さるので、容易に切ることができる。なお、切断にはカッター６が動かないことと適度の引出し抵抗があることが必要である。
【００３４】
図７から図１２を用いて、第２実施例について説明する。
第２実施例の当接手段は一対のレール、右案内レール４０ｍと左案内レール４０ｈであり、繰出手段は滑動板ユニット３５を採用している。
図７は正面図（１部、断面）、図８は側断面図（断面Ｄ−Ｄ）、図９(a)は 滑動板ユニット３５の滑り板３５ａ、図９(b) は滑り板支持体３５ｅ、図１０(a)は滑動板ユニット３５での繰出し直前の図、図１０(b)は滑動板ユニット３５での繰出し後の図、図１１は左右曲面レール４１ｍ、４１ｈを示している。
【００３５】
第１実施例と同様、前面板３２、右側面板３３ｍ、左側面板３３ｈ、後面板３４、で筒状の収容器５０を構成している。３４ｂは、壁面等への取り付け穴である。（図８参照）  ３６はカッター（切断手段）、３７は開閉可能な蓋、３７ａは開いた状態の蓋、３７ｂは蓋を回動可能に支える蓋軸、１ａはペーパーである。
【００３６】
図８に示すように、ロールペーパー１の中心の穴に貫通させたロール支持軸３９の両端を、右側面板３３ｍ、左側面板３３ｈの内面において、前面板３２寄りに低くなるように取り付けられた右案内レール４０ｍ、左案内レール４０ｈに載せると、ロールペーパー１は重力によって前面板３２の方へと移動し前面板３２に当接する。
【００３７】
ロールペーパー１のロール当接圧４８はロールペーパーの重量と右案内レール４０ｍ、左案内レール４０ｈの傾斜角度に関係している。ペーパーを消耗しロールペーパー１が軽くなると当接圧４８は減るので、案内レールの傾斜角度を大きくして補うことが考えられる。即ち、図１１の、左右曲面レール４１ｍ、４１ｈのように、前面板３２に近いほど勾配が大きくなる曲面としてもよい。
【００３８】
繰出手段の滑動板ユニット３５は、図８のように、前面板３２の下部に接するように配設され、左右側面板３３ｈ、３３ｍに固定されている。滑動板ユニット３５の構造は、図９(a)と(b)に示している。滑り板３５ａと滑り板支持体３５ｅ、復帰ばね３５ｄで構成され、滑り板支持体３５ｅに復帰ばね３５ｄをセットした後に、ガイド溝３５ｆ（左右２箇所)に、滑り板３５ａの滑り板滑動部３５ｋ（左右２箇所）が挿入される。図９(b)では、滑り板支持体３５ｅの他方（左の方）の溝は、溝の内部を示すために断面にしており、この図では溝には見えないが、左右対称に溝が構成されている。。なお、３５ｂはばね受けである。
３５ｇは滑り板滑動部３５ｋのストッパーであり、ガイド溝３５ｆのストッパー受け３５ｈに突き当たるまでが可動範囲となる。（以上は、左右対称に存在する。）
上述の、組み立てられた状態が、図８の滑動板ユニット３５である。
滑り板３５ａのペーパー端１ｂを押付ける表面には、突起３５ｃを設けてもよい。
【００３９】
滑り板３５ａにペーパー１ｂを押付けて引き下げると、図１０(a)のようになる。ここで手指１５を離すと、図１０(b)のように、滑り板３５ａは復帰し、ペーパー端１ｂは露出したまま残り掴み代となる。露出量が少ない時は、この動作を繰り返すと良い。掴み代が確保されて以降の使い方は、図６と同様にして行われる。
【００４０】
図９(a)に示すように、滑り板３５ａの上部に滑り板舌部３５ｉを設けてもよい。これは、図１０(a)のように、滑り板３５ａを上下させるとき、前面板３２と滑り版３５ａとの接合部にできる空洞を、ペーパー１ａを挟まない程度に、塞ぐものである。
滑り板舌部３５ｉの長さＬを長くし、ロールペーパー１の当接位置よりさらに上まで延伸させても良い。この場合に、掴み代を確保する繰出し時には引出し抵抗は小さくなり、切断時には引出し抵抗が大きいほど使いやすくなる。
【００４１】
ここで、２種類の繰出手段を説明する。
図１２(a)は繰出手段の、「環ベルトユニット４５」と「繰出ローラユニット４７」を示している。
【００４２】
図１２(a)に示す環ベルトユニット４５は、以下に述べるような、構成となっている。環ベルト支持体４５ｆとその内面側の内部に設けられた窪み状スペースの上下端部に、上ローラ４５ｂ、下ローラ４５ｃが、環ベルト支持体４５ｆの両サイドに回転可能に軸支持され、環ベル４５ａを支持している。環ベルト４５ａの外面には滑り止めとして複数個の突起４５ｅを設けてもよい。上ローラ４５ｂ、下ローラ４５ｃは、環状の環ベルト４５ａを軽く引張しながら支えている。また、上ローラ４５ｂ、下ローラ４５ｃの間において、環ベルト４５ａに内包されるように、滑り中板４５ｄが設けられ、その左右両端は環ベルト支持体４５ｆに固定されている。滑り中板４５ｄと環ベルト内面との摩擦は極力小さいことが望ましい。なお、滑り中板の代わりに多数の中間ローラを設けてもよい。（図１６(a)参照）
以上の構成において、環ベルト４５ａにペーパー端１ｂを押付け、引き下げると環ベルト４５ａは軽く回り、ペーパー端１ｂは露出して掴み代となる。
【００４３】
図１２(b)に示す「繰出ローラユニット４７」の構成は以下の通りである。
繰出ローラ支持体４７ｃのほぼ中央に、穴が設けられており、その穴の中に繰出ローラ４７ａが繰出ローラ軸４７ｂによって、滑らかな回転が可能なように軸支持されている。繰出ローラ軸４７ｂの両端は、繰出ローラ支持体４７ｃに固定されている。繰出ローラ４７ａは、やや小さいローラを複数個配列しても良い。
繰出ローラユニット４７の内面の繰出しローラ４７ａの外面にペーパー端１ｂを押付け引き下げるとペーパー１ｂが露出し掴み代となる。
【００４４】
図１３〜図１７を用いて、第３実施例について説明する。
第３実施例での当接手段は「懸垂ユニット６０」であり、繰出手段は「長環ベルトユニット５５」を採用している。
図１３は側断面図、図１４は正面図（一部、矢視Ｅ−Ｅ)、図１５(a)は長環ベルトユニット５５の側断面図、図１５(b)は長環ベルトユニット５５の内面の図（一部、断面）、図１６(a)は長環ベルトユニット（中間ローラ）の詳細図、図１６(b)は長環ベルトユニット（摺動中板）の詳細図、図１７(a)は懸垂ユニット６０の斜視図、図１７(b)は懸垂ヨーク右６０ｍを弾性変形させた図である。
【００４５】
図１３における５５は長環ベルトユニットである。これは、第１、２実施例における前面板（２、３２）、繰出手段（擦り板５、滑動板ユニット３５など）とは異なり、これらを一体とした大きさを持つ板状の部材で、上方にはロールペーパー１が当接し、下方は前述の環ベルトユニット４５と類似の繰出しの機能を担っている。長環ベルトユニット５５の下部にはカッター５６（切断手段）が固定されている。
【００４６】
長環ベルト本体５５ｅ、後面板５４、右側面板５３ｍ、左側面板５３ｈは互いに固定され、矩形に開口した筒型の収容器７０を構成している。
ロールペーパー１は懸垂ユニット６０によって、前面寄りに吊り上げられ、長環ベルトユニット５５の内面に当接している。
５７は開閉可能な蓋、５７ａは開いた状態の蓋、５７ｂは蓋を支持する蓋軸である。また、５４ａは壁等への取り付け穴、１ｂはペーパー端である。
【００４７】
図１５は長環ベルトユニット５５を示している。長環ベルト本体５５ｅの内面側空洞の上方と下方において軸支持されるサイドローラ（上）５５ｂとサイドローラ（下）５５ｃによって長環ベルト５５ａが軽く引張された状態に支持されている。
上記２個のサイドローラ５５ｂ、５５ｃの間において、長環ベルト５５ａに内包される状態で、多数の中間ローラ５５ｄが長環ベルト本体５５ｅの左右の位置で軸支持されている。（図１６(a)参照）  図１６(b)のように、多数の中間ローラ５５ｄに代えて、摩擦が小さい摺動中板５５ｆでも良い。これらは、長環ベルト５５ａの動きを滑らかで軽いものにするためである。
【００４８】
長環ベルトユニットの下方（繰出手段相当の部分）の位置にあるペーパー端１ｂを手指１５で押付け、下方に引き出す際、長環ベルト５５ａは、ロールペーパー１が当接している箇所も含めて動く。従って、当接箇所でのペーパーの摩擦による引出し抵抗はなく、滑らかで軽く引出すことができる。
切断時には長環ベルトは動かないので、適度な引出し抵抗が得られ切断し易い。
【００４９】
図１７(a)に示す懸垂ユニット６０は懸垂ヨーク右６０ｍ、懸垂ヨーク左６０ｈ、懸垂軸６０ａ、懸垂軸端６０ｂ（左右２箇所）、ロール支持軸５９（左右２箇所）から成る。
ロール支持軸は、他の実施例のように、ロールペーパー１の穴を貫通する１本の軸であってもよいが、ここでは、懸垂ヨーク右６０ｍ、懸垂ヨーク左６０ｈに固定された短い２本の軸としている。図１７(b)のように、ロールペーパーの装填時には、懸垂ヨーク６０ｍを６０ｃのように弾性変形させる。従ってこの方法では、上記懸垂ヨーク右６０ｍ、懸垂ヨーク左６０ｈは板ばねのような弾性材で構成する。
【００５０】
図１７(a)のように、ロールペーパー１を装填した懸垂ユニット６０の懸垂軸端６０ｂ（２個）を左右側面板５３ｍ、５３ｈの上部前寄りの懸垂溝５３ｇに架設して使用する。
懸垂溝を複数個（図１３の５３ｆ、５３ｇ）設けておき、ロールペーパーの消耗に応じて懸垂溝Ｆ５３ｆ、懸垂溝Ｇ５３ｇを変えて、ロール当接圧６８を調整してもよい。さらに、細かな調整をするときには、懸垂溝を多く設け細かく調整する、または連続的な調整を可能にしても良い。
【００５１】
第４実施例について、図１８、図１９を用いて説明する。当接手段は第１実施例と同じ「支持ヨークユニット」であり、繰出手段は「繰出し板ユニット８５」を採用している。
図１８(a)はこの実施例の側断面図、図１８(b)は繰出し板ユニット８５の側断面図、図１９は繰出し板ユニット８５の斜視図である。
【００５２】
前面板８２、右側面板８３ｍ、左側面板８３ｈ、後面板８４とで矩形に開口した筒状の収容器９２を構成している。８７は蓋、８６はカッター、１はロールペーパー、１ａはペーパー、１ｂはペーパー端である。
ロールペーパー１はロール支持軸８９で支えられ、ロール支持軸８９は支持ヨークユニット９０に架設されている。
【００５３】
収容器９２の右側面板８３ｍ、左側面板８３ｈの後下方位置に、繰出し板ユニット８５が支持軸穴８５ｅを利用して回動可能に支持軸８５ｊにより支持されている。繰出し板ユニット８５のばね掛け８５ｐ（左右２個）と右側面板８３ｍ、左側面板８３ｈに固定されているばね留めピン８５ｋ（左右２個）には、復帰ばね８５ｓ（左右２個）が掛けられている。
復帰ばね８５ｓにより、繰出し板ユニット８５には（図１８では右回り）モーメントが働き、繰出し板８５ａの上端は前面板８２の下端に突合せ状態になっている。さらに、前面板８２の内面と繰出し板８５ａの内面はほぼ一致するように構成されている。
【００５４】
図１９に繰出し板ユニット８５の斜視図を示す。８５ｍ、は支持腕右、８５ｈは支持腕左であり、繰出し板８５ａの内面には突起８５ｄが、下部にはカッター８６が設けられている。
【００５５】
ペーパー端１ｂを繰出す方法は、図１８(a)の仮想線（二点鎖線）のように、繰出し板８５ａの内面にペーパー端１ｂを手指１５で押付け、そのまま下方に下げる。（ペーパー端１ｂと繰出し板８５ａを掴んで引き下げてもよい。）  その後、手指１５を離すと、図１８(b)のように、繰出し板８５ａは復帰し、ペーパー端１ｂはそのまま残り露出して掴み代となる。
【００５６】
この実施例では、繰出し板は円弧上に揺動するが、ガイドレール等による上下直線状の動きでも良い。
【符号の説明】
【００５７】
１                   ロールペーパー
２                   前面板
３ｍ、３ｈ           右側面板、左側面板
５                   擦り板
６                   カッター
７                   蓋
７ｂ                 蓋軸
９                   ロール支持軸
１０                 支持ヨークユニット
１１ｍ、１１ｈ       ヨーク右、ヨーク左
１３                 復帰錘
１５                 手指
１７                 引出し抵抗
１８                 ロール当接圧
２０                 収容器
３５                 滑動板ユニット
３５ａ               滑り板
３５ｄ               復帰ばね
４０ｍ、４０ｈ       右案内レール、左案内レール
４５                 環ベルトユニット
４５ａ               環ベルト
４５ｄ               滑り中板
４７                 繰出しローラユニット
４７ａ               繰出しローラ
５５                 長環ベルトユニット
５５ａ               長環ベルト
５５ｂ、５５ｃ       サイドローラ（上）、サイドローラ（下）
５５ｅ               長環ベルト本体
６０                 懸垂ユニット
６０ｍ、６０ｈ       懸垂ヨーク右、懸垂ヨーク左
８５                 繰出し板ユニット
８５ａ               繰出し板
８５ｄ               突起
８５ｓ               復帰ばね
【図１】
2013188274.tif 000003
【図２】
2013188274.tif 000004
【図３】
2013188274.tif 000005
【図４】
2013188274.tif 000006
【図５】
2013188274.tif 000007
【図６】
2013188274.tif 000008
【図７】
2013188274.tif 000009
【図８】
2013188274.tif 000010
【図９】
2013188274.tif 000011
【図１０】
2013188274.tif 000012
【図１１】
2013188274.tif 000013
【図１２】
2013188274.tif 000014
【図１３】
2013188274.tif 000015
【図１４】
2013188274.tif 000016
【図１５】
2013188274.tif 000017
【図１６】
2013188274.tif 000018
【図１７】
2013188274.tif 000019
【図１８】
2013188274.tif 000020
【図１９】
2013188274.tif 000021